(57)【要約】【課題】ネットワーク間接続装置の遠隔保守にかかる通信コストを低減するとともに、信頼性が高く障害に強い遠隔監視システムの構築を可能とすること。【解決手段】監視装置１００と無線部実装ネットワーク間接続装置１１１〜１１４の間に中継装置１０１および１０２を設置し、監視装置１００と中継装置１０１を電話回線で接続し、中継装置１０１と無線部実装ネットワーク間接続装置１１１〜１１３および中継装置１０２を無線で接続し、中継装置１０２と無線部実装ネットワーク間接続装置１１４を無線で接続し、監視装置１００は、中継装置１０１および１０２を介して無線部実装ネットワーク間接続装置１１１〜１１４および既存ネットワーク間接続装置１２１および１２２を遠隔地から保守する。【選択図】　　　図１
2004120395.tif 000002
【特許請求の範囲】
【請求項１】
あるネットワークと他のネットワークとを接続するネットワーク間接続装置と、複数のネットワーク間接続装置を監視して遠隔保守する監視装置とを有する遠隔監視システムに用いる遠隔保守中継装置であって、
前記監視装置から送信された命令を受信する受信手段と、
前記受信手段により受信された命令を転送するネットワーク間接続装置または他の遠隔保守中継装置からなる転送先装置を選択する転送先選択手段と、
前記転送先選択手段により選択された転送先装置へ前記命令を該転送先装置に固有な周波数の無線で送信する固有周波数無線命令送信手段と、
前記転送先装置から該転送先装置に固有な周波数の無線で送信された前記命令の実行結果を受信する固有周波数無線結果受信手段と、
前記固有周波数無線結果受信手段により受信された実行結果を前記監視装置に送信する送信手段と、
を備えたことを特徴とする遠隔保守中継装置。
【請求項２】
あるネットワークと他のネットワークとを接続するネットワーク間接続装置と、複数のネットワーク間接続装置を監視して遠隔保守する監視装置とを有する遠隔監視システムに用いる遠隔保守中継装置であって、
前記監視装置から送信された命令を受信する受信手段と、
前記受信手段により受信された命令を転送するネットワーク間接続装置または他の遠隔保守中継装置からなる転送先装置を一意に識別する識別情報を取得する取得手段と、
前記取得手段により取得された識別情報を含む制御パケットを生成する制御パケット生成手段と、
前記制御パケット生成手段により生成された制御パケットおよび前記受信手段により受信された命令を所定の周波数の無線で送信する所定周波数無線命令送信手段と、
前記所定周波数無線命令送信手段により送信された前記制御パケットおよび前記命令に応答して前記所定の周波数の無線で送信された該命令の実行結果を受信する所定周波数無線結果受信手段と、
前記所定周波数無線結果受信手段により受信された実行結果を前記監視装置に送信する送信手段と、
を備えたことを特徴とする遠隔保守中継装置。
【請求項３】
あるネットワークと他のネットワークとを接続するネットワーク間接続装置であって、
遠隔保守中継装置から前記ネットワーク間接続装置に固有な周波数の無線で送信された命令を受信する固有周波数無線命令受信手段と、
前記固有周波数無線命令受信手段により受信された命令を実行して実行結果を生成する命令実行手段と、
前記命令実行手段により生成された実行結果を前記遠隔保守中継装置へ前記ネットワーク間接続装置に固有な周波数の無線で送信する固有周波数無線結果送信手段と、
を備えたことを特徴とするネットワーク間接続装置。
【請求項４】
あるネットワークと他のネットワークとを接続するネットワーク間接続装置であって、
遠隔保守中継装置から前記所定の周波数の無線で送信された制御パケットおよび命令を受信する所定周波数無線命令受信手段と、
前記所定周波数無線命令受信手段により受信された制御パケットに含まれる前記識別情報に基づいて前記遠隔保守中継装置への応答可否を判定する応答判定手段と、
前記応答判定手段により判定された応答可否に基づいて前記遠隔保守中継装置へ応答する応答手段と、
前記所定周波数無線命令受信手段により受信された命令を実行して実行結果を生成する命令実行手段と、
前記命令実行手段により生成された実行結果を前記遠隔保守中継装置へ前記所定の周波数の無線で送信する所定周波数無線結果送信手段と、
を備えたことを特徴とするネットワーク間接続装置。
【請求項５】
同じネットワークに接続された無線通信機能を有しない既存ネットワーク間接続装置へ該ネットワークを介して前記命令を送信し、該命令の実行結果を該ネットワークを介して受信する通信手段をさらに備えたことを特徴とする請求項３または４に記載のネットワーク間接続装置。
【発明の詳細な説明】
【０００１】
【発明の属する技術分野】
この発明は、複数のネットワーク間接続装置を監視して遠隔保守する遠隔監視システムに用いる遠隔保守中継装置およびネットワーク間接続装置に関し、特に、ネットワーク間接続装置の遠隔保守にかかる通信コストを低減するとともに、信頼性が高く障害に強い遠隔監視システムの構築を可能とする遠隔保守中継装置およびネットワーク間接続装置に関する。
【０００２】
【従来の技術】
近年、インターネットの普及に伴い、数多くのコンピュータネットワークが構築されている。これらのコンピュータネットワークを相互に接続するルータ、ハブ、スイッチなどのネットワーク間接続装置は、故障が発生するとコンピュータネットワークに大きな影響をあたえることから、その保守が重要となっている。
【０００３】
通常、これらのネットワーク間接続装置を保守する際には、遠隔地にある監視装置と各ネットワーク間接続装置をＩＮＳ（Ｉｎｆｏｒｍａｔｉｏｎ　Ｎｅｔｗｏｒｋ　Ｓｙｓｔｅｍ）や専用線などで直接接続し、これらの接続線を介して監視装置がネットワーク間接続装置からデータを取得することによっておこなわれる（たとえば、特許文献１および２参照。）。
【０００４】
また、監視装置と所定のネットワーク間接続装置とを直接接続しておき、他のネットワーク間接続装置に関しては、ＬＡＮおよび所定のネットワーク間接続装置を経由して監視装置とデータ授受するよう構成することもある（たとえば、特許文献３参照。）。
【０００５】
【特許文献１】
特開平１１−２１９３８８号公報（第３頁、第１図）
【特許文献２】
特開平８−２９３９１８号公報（第３頁、第１図）
【特許文献３】
特開２００２−１４８８１号公報（第３頁、第１図）
【０００６】
【発明が解決しようとする課題】
しかしながら、遠隔地にある監視装置と各ネットワーク間接続装置をそれぞれＩＮＳや専用線で接続したのでは、ネットワーク間接続装置の数が多くなればなるほど敷設するＩＮＳや専用線が累増するので、結果的に通信コストが高くなってしまうという問題が生ずる。
【０００７】
また、遠隔地にある監視装置とネットワーク間接続装置をＩＮＳや専用線で接続するためには、監視装置をＩＮＳや専用線と接続できる場所に固定する必要があるので、保守をおこなう場所が限定されてしまうという問題が生ずる。
【０００８】
さらに、複数のネットワーク間接続装置に対して同時に命令を送信して同時刻の情報を収集したい場合であっても、１度のオペレーションで１台のネットワーク間接続装置しか命令を送信できないので、複数のネットワーク間接続装置に対して順番に命令を送信することとなり、結果的に同時刻の情報が収集できないという問題もある。
【０００９】
また、監視装置と所定のネットワーク間接続装置とを直接接続しておき、他のネットワーク間接続装置に関しては、ＬＡＮおよび所定のネットワーク間接続装置を経由して監視装置とデータ授受するよう構成する場合には、所定のネットワーク間接続装置と他のネットワーク間接続装置の間に介在するＬＡＮに障害が発生した場合に、他のネットワーク間接続装置の保守をおこなえなくなるという問題が生ずる。
【００１０】
この発明は、上述した従来技術による問題点を解消するためになされたものであり、ネットワーク間接続装置の遠隔保守にかかる通信コストを低減するとともに、信頼性が高く障害に強い遠隔監視システムの構築を可能とする遠隔保守中継装置およびネットワーク間接続装置を提供することを目的とする。
【００１１】
【課題を解決するための手段】
上述した課題を解決し、目的を達成するため、本発明は、あるネットワークと他のネットワークとを接続するネットワーク間接続装置と、複数のネットワーク間接続装置を監視して遠隔保守する監視装置とを有する遠隔監視システムに用いる遠隔保守中継装置であって、前記監視装置から送信された命令を受信する受信手段と、前記受信手段により受信された命令を転送するネットワーク間接続装置または他の遠隔保守中継装置からなる転送先装置を選択する転送先選択手段と、前記転送先選択手段により選択された転送先装置へ前記命令を該転送先装置に固有な周波数の無線で送信する固有周波数無線命令送信手段と、前記転送先装置から該転送先装置に固有な周波数の無線で送信された前記命令の実行結果を受信する固有周波数無線結果受信手段と、前記固有周波数無線結果受信手段により受信された実行結果を前記監視装置に送信する送信手段と、を備えたことを特徴とする。
【００１２】
この発明によれば、監視装置から送信された命令を受信し、受信した命令を転送するネットワーク間接続装置または他の遠隔保守中継装置からなる転送先装置を選択し、選択された転送先装置へ命令をこの転送先装置に固有な周波数の無線で送信し、この転送先装置からこの転送先装置に固有な周波数の無線で送信された命令の実行結果を受信し、受信した実行結果を監視装置に送信することとしたので、ネットワーク間接続装置の遠隔保守にかかる通信コストを低減するとともに、信頼性が高く障害に強い遠隔監視システムを構築することができる。
【００１３】
また、本発明は、あるネットワークと他のネットワークとを接続するネットワーク間接続装置と、複数のネットワーク間接続装置を監視して遠隔保守する監視装置とを有する遠隔監視システムに用いる遠隔保守中継装置であって、前記監視装置から送信された命令を受信する受信手段と、前記受信手段により受信された命令を転送するネットワーク間接続装置または他の遠隔保守中継装置からなる転送先装置を一意に識別する識別情報を取得する取得手段と、前記取得手段により取得された識別情報を含む制御パケットを生成する制御パケット生成手段と、前記制御パケット生成手段により生成された制御パケットおよび前記受信手段により受信された命令を所定の周波数の無線で送信する所定周波数無線命令送信手段と、前記所定周波数無線命令送信手段により送信された前記制御パケットおよび前記命令に応答して前記所定の周波数の無線で送信された該命令の実行結果を受信する所定周波数無線結果受信手段と、前記所定周波数無線結果受信手段により受信された実行結果を前記監視装置に送信する送信手段と、を備えたことを特徴とする。
【００１４】
この発明によれば、監視装置から送信された命令を受信し、受信した命令を転送するネットワーク間接続装置または他の遠隔保守中継装置からなる転送先装置を一意に識別する識別情報を取得し、取得した識別情報を含む制御パケットを生成し、生成した制御パケットおよび命令を所定の周波数の無線で送信し、この制御パケットに応答して所定の周波数の無線で転送先装置から送信された命令の実行結果を受信し、受信した実行結果を監視装置に送信することとしたので、ネットワーク間接続装置の遠隔保守にかかる通信コストを低減するとともに、信頼性が高く障害に強い遠隔監視システムを単一周波数の無線を用いて構築することができる。
【００１５】
また、本発明は、あるネットワークと他のネットワークとを接続するネットワーク間接続装置であって、遠隔保守中継装置から前記ネットワーク間接続装置に固有な周波数の無線で送信された命令を受信する固有周波数無線命令受信手段と、前記固有周波数無線命令受信手段により受信された命令を実行して実行結果を生成する命令実行手段と、前記命令実行手段により生成された実行結果を前記遠隔保守中継装置へ前記ネットワーク間接続装置に固有な周波数の無線で送信する固有周波数無線結果送信手段と、を備えたことを特徴とする。
【００１６】
この発明によれば、遠隔保守中継装置からネットワーク間接続装置に固有な周波数の無線で送信された命令を受信し、受信した命令を実行して実行結果を生成し、生成した実行結果を遠隔保守中継装置へネットワーク間接続装置に固有な周波数の無線で送信することとしたので、ネットワーク間接続装置の遠隔保守にかかる通信コストを低減するとともに、信頼性が高く障害に強い遠隔監視システムを構築することができる。
【００１７】
また、本発明は、あるネットワークと他のネットワークとを接続するネットワーク間接続装置であって、遠隔保守中継装置から前記所定の周波数の無線で送信された制御パケットおよび命令を受信する所定周波数無線命令受信手段と、前記所定周波数無線命令受信手段により受信された制御パケットに含まれる前記識別情報に基づいて前記遠隔保守装置への応答可否を判定する応答判定手段と、前記応答判定手段により判定された応答可否に基づいて前記遠隔保守中継装置へ応答する応答手段と、前記所定周波数無線命令受信手段により受信された命令を実行して実行結果を生成する命令実行手段と、前記命令実行手段により生成された実行結果を前記遠隔保守中継装置へ前記所定の周波数の無線で送信する所定周波数無線結果送信手段と、を備えたことを特徴とする。
【００１８】
この発明によれば、遠隔保守中継装置から所定の周波数の無線で送信された制御パケットおよび命令を受信し、受信した制御パケットに含まれる識別情報に基づいて遠隔保守装置への応答可否を判定し、判定した応答可否に基づいて遠隔保守中継装置へ応答し、受信した命令を実行して実行結果を生成し、生成した実行結果を遠隔保守中継装置へ所定の周波数の無線で送信することとしたので、ネットワーク間接続装置の遠隔保守にかかる通信コストを低減するとともに、信頼性が高く障害に強い遠隔監視システムを単一周波数の無線を用いて構築することができる。
【００１９】
【発明の実施の形態】
以下に添付図面を参照して、この発明に係る遠隔保守中継装置およびネットワーク間接続装置の好適な実施の形態を詳細に説明する。
【００２０】
（実施の形態１）
まず、本実施の形態１に係る遠隔監視システムのシステム構成について説明する。図１は、本実施の形態１に係る遠隔監視システムのシステム構成を示すブロック図である。同図に示すように、この遠隔監視システムは、監視装置１００と、中継装置１０１および１０２と、無線部実装ネットワーク間接続装置１１１〜１１４と、既存ネットワーク間接続装置１２１および１２２とからなる。
【００２１】
監視装置１００は、無線部実装ネットワーク間接続装置１１１〜１１４、既存ネットワーク間接続装置１２１および１２２により形成されたコンピュータネットワークを監視対象とし、特にこれらのネットワーク間接続装置１１１〜１１４、１２１および１２２を遠隔地から保守する装置である。この監視装置１００は、電話回線によって中継装置１０１に接続され、この中継装置１０１を介して無線部実装ネットワーク間接続装置１１１〜１１３および既存ネットワーク間接続装置１２１の保守をおこなう。また、この監視装置１００は、中継装置１０１と中継装置１０２を介して無線部実装ネットワーク間接続装置１１４および既存ネットワーク間接続装置１２２の保守をおこなう。
【００２２】
中継装置１０１および１０２は、監視装置１００と無線部実装ネットワーク間接続装置１１１〜１１４との間で授受されるデータを中継する装置である。中継装置１０１は、同じＬＡＮに接続された無線部実装ネットワーク間接続装置１１１〜１１３および既存ネットワーク間接続装置１２１を管理対象とし、無線を使って無線部実装ネットワーク間接続装置１１１〜１１３と通信することができる。中継装置１０２は、同じＬＡＮに接続された無線部実装ネットワーク間接続装置１１４および既存ネットワーク間接続装置１２２を管理対象とし、無線を使って無線部実装ネットワーク間接続装置１１４と通信することができる。
【００２３】
また、中継装置１０１と中継装置１０２とは、無線通信によってデータを授受することができ、無線部実装ネットワーク間接続装置１１４は、中継装置１０２および中継装置１０１を経由して監視装置１００と通信することができる。なお、ここでは説明の便宜上、２台の中継装置のみを示したが、中継装置の台数を増やすことにより、保守するコンピュータネットワークの範囲を広げることができる。
【００２４】
無線部実装ネットワーク間接続装置１１１〜１１４は、ＬＡＮと他のネットワークを接続するルータ、ハブ、スイッチなどのネットワーク間接続装置であり、中継装置１０１または中継装置１０２と無線を使って通信することができる。
【００２５】
既存ネットワーク間接続装置１２１および１２２は、無線部実装ネットワーク間接続装置１１１〜１１４と同様に、ＬＡＮと他のネットワークを接続するルータ、ハブ、スイッチなどのネットワーク間接続装置であるが、無線を使って通信する機能は保有していない。このため、この既存ネットワーク間接続装置１２１は、ＬＡＮを介して無線部実装ネットワーク間接続装置１１３を経由することによって中継装置１０１と通信し、既存ネットワーク間接続装置１２２は、ＬＡＮを介して無線部実装ネットワーク間接続装置１１４を経由することによって中継装置１０２と通信することとなる。
【００２６】
次に、図１に示した遠隔監視システムの動作について説明する。図２は、図１に示した遠隔監視システムの動作を説明するフローチャートである。同図に示すように、監視装置１００は、自分が監視するネットワーク間接続装置１１１〜１１４、１２１および１２２にアクセスする必要があると判断すると、電話回線を使って中継装置１０１に命令を送信する（ステップＳ２０１）。なお、アクセスするネットワーク間接続装置は複数の場合もある。
【００２７】
命令を受信した中継装置１０１は、命令の宛先に指定された無線部実装ネットワーク間接続装置へ命令を転送する（ステップＳ２０２）。この時、無線部実装ネットワーク間接続装置１１４が宛先に含まれる場合には、中継装置１０２を経由して命令を転送する。また、無線を使って通信できない既存ネットワーク間接続装置１２１が宛先に含まれる場合には、無線部実装ネットワーク間接続装置１１３を経由して命令を転送し、既存ネットワーク間接続装置１２２が宛先に含まれる場合には、無線部実装ネットワーク間接続装置１１４を経由して命令を転送する。
【００２８】
無線部実装ネットワーク間接続装置１１１〜１１４が命令を受信したならば（ステップＳ２０３）、この命令の宛先を判定し（ステップＳ２０４）、宛先に自分が含まれている場合には命令を実行する（ステップＳ２０５）。また、宛先に自分経由の既存ネットワーク間接続装置１２１および１２２が含まれている場合には、ＬＡＮ経由で命令を既存ネットワーク間接続装置１２１および１２２へ転送する。命令を受信した既存ネットワーク間接続装置１２１および１２２は、受信した命令を実行し（ステップＳ２０６）、その実行結果をＬＡＮ経由で無線部実装ネットワーク間接続装置１１３および１１４へ送信する。
【００２９】
そして、無線部実装ネットワーク間接続装置１１１〜１１３は、実行結果を中継装置１０１へ送信し、無線部実装ネットワーク間接続装置１１４は、実行結果を中継装置１０２を経由して中継装置１０１へ送信する（ステップＳ２０７）。実行結果を受信した中継装置１０１は、この実行結果を電話回線で監視装置１００へ転送し（ステップＳ２０８）、監視装置１００は、この実行結果を受信する（ステップＳ２０９）。
【００３０】
次に、図１に示した監視装置１００の機能構成について説明する。図３は、図１に示した監視装置１００の機能構成を示すブロック図である。同図に示すように、この監視装置１００は、監視制御部３１０と、通信制御部３２０と、表示装置３３０とを有する。
【００３１】
監視制御部３１０は、命令を送信する時刻、保守対象とするネットワーク間接続装置、送信する命令などを決定する処理部であり、保守情報収集の制御、設定情報の制御をおこなう。通信制御部３２０は，中継装置１０１と電話回線を用いて通信する処理部である。表示装置３３０は、ネットワーク間接続装置での命令の実行結果などを表示する装置である。
【００３２】
この監視装置１００は、ＩＮＳや専用回線を必要とせず、電話回線を用いて中継装置１０１と通信し、この中継装置１０１を介して各ネットワーク間接続装置にアクセスすることとしたので、遠隔保守にかかる通信コストを低減するとともに、設置場所に制限を受けることなくどこからでも遠隔保守をおこなうことができる。
【００３３】
次に、図１に示した中継装置１０１および１０２の機能構成について説明する。なお、これらの中継装置１０１および１０２は同様の構成を有するので、ここでは中継装置１０１を例にとって説明する。
【００３４】
図４は、図１に示した中継装置１０１の機能構成を示すブロック図である。同図に示すように、この中継装置１０１は、送受信部４１０と、判断部４２０と、無線制御部４３０と、ネットワーク間接続装置リスト４４０とを有する。
【００３５】
送受信部４１０は、監視装置１００と電話回線を用いて通信する処理部である。判断部４２０は、ネットワーク間接続装置リスト４４０に基づき、受信した命令の転送先および使用する無線の周波数を決定する処理部である。また、この判断部４２０は、電話回線による中継装置１０１へのアクセスが正しいか否かの判断もおこなう。
【００３６】
無線制御部４３０は、判断部４２０が決定した命令の転送先との無線通信を制御する処理部である。この無線制御部４３０は、異なる周波数を用いて複数の転送先へ同時に命令を転送することができる。
【００３７】
このため、複数の無線部実装ネットワーク間接続装置１１１〜１１３で同時に命令を実行することができ、同時刻での無線部実装ネットワーク間接続装置１１１〜１１３の情報収集が可能となり、もってより信頼性の高い保守をおこなうことができる。
【００３８】
また、保守対象ネットワークとは独立した保守用ネットワークを構築することができるので、保守対象ネットワークに障害が発生した場合でも無線を使用して無線部実装ネットワーク間接続装置１１１〜１１４にアクセスすることができ、もって障害に強い遠隔監視システムを構築することができる。
【００３９】
ネットワーク間接続装置リスト４４０は、ネットワーク間接続装置へ命令を転送するための命令の転送先および使用する無線の周波数を格納したリストである。図５は、中継装置１０１が有するネットワーク間接続装置リスト４４０の一例を示す図である。同図に示すように、このネットワーク間接続装置リスト４４０は、ネットワーク間接続装置の名前を示す装置名、命令の転送先を示す転送先、使用する無線の周波数を示す周波数をネットワーク間接続装置ごとに管理した情報である。
【００４０】
たとえば、装置名Ａのネットワーク間接続装置は、命令の転送先は自分自身であり、使用する無線の周波数は１０であることを示している。同様に、装置名Ｂのネットワーク間接続装置は、命令の転送先は自分自身であり、使用する無線の周波数は２０であることを示し、装置名Ｃのネットワーク間接続装置は、命令の転送先は自分自身であり、使用する無線の周波数は３０であることを示している。これらのネットワーク間接続装置は、図１に示した無線部実装ネットワーク間接続装置１１１〜１１３に対応しており、中継装置１０１と無線で通信できることから、命令の転送先が自分自身となっている。
【００４１】
一方、装置名Ｄのネットワーク間接続装置は、命令の転送先は装置名Ｃのネットワーク間接続装置であり、使用する無線の周波数は３０であることを示している。このネットワーク間接続装置は、図１に示した既存ネットワーク間接続装置１２１に対応しており、中継装置１０１と無線で通信できないことから、装置名Ｃのネットワーク間接続装置を経由して命令を受信することとなる。
【００４２】
その他、装置名Ｅおよび装置名Ｆのネットワーク間接続装置は、装置名が中継装置２である他の中継装置が管理するネットワーク間接続装置であり、命令の転送先は中継装置２であり、使用する無線の周波数は１００であることを示している。
【００４３】
次に、中継装置１０１の動作について説明する。図６は、図４に示した中継装置１０１の動作を説明するフローチャートである。同図に示すように、この中継装置１０１は、送受信部４１０が電話回線でデータを受信し（ステップＳ６０１）、判断部４２０に引き渡す。
【００４４】
データを受け取った判断部４２０は、受信したデータが監視装置１００から送られたものであるかを判定する（ステップＳ６０２）。この判定は、ネットワークへの不正なアクセスを防ぐためのものであり、監視装置１００の電話番号を登録することによっておこなう。また、監視装置１００のＩＤを管理するなど、他のセキュリティ管理を利用することもできる。
【００４５】
もし、データの送信元が監視装置１００でない場合には、送受信部４１０がデータの送信元へＤＥＮＹを返して（ステップＳ６０７）処理を終了する。一方、データの送信元が監視装置１００である場合には、ネットワーク間接続装置リスト４４０を参照してデータの転送先を探し（ステップＳ６０３）、転送先があるか否かを判定する（ステップＳ６０４）。
【００４６】
もし、データの転送先が不明であれば、送受信部４１０がデータの送信元へＤＥＮＹを返す（ステップＳ６０７）。一方、データの転送先が判明した場合には、無線制御部４３０がその転送先へ無線でデータを転送する（ステップＳ６０５）。そして、転送先で命令が実行され、無線制御部４３０が転送先からの実行結果を受信して送受信部４１０に引き渡す。実行結果を受け取った送受信部４１０は、この実行結果を監視装置１００へ電話回線で送信する（ステップＳ６０６）。
【００４７】
次に、図１に示した無線部実装ネットワーク間接続装置１１１〜１１４の機能構成について説明する。なお、これらの無線部実装ネットワーク間接続装置１１１〜１１４はいずれも同様の構成を有するので、ここでは無線部実装ネットワーク間接続装置１１１を例にとって説明する。
【００４８】
図７は、図１に示した無線部実装ネットワーク間接続装置１１１の機能構成を示すブロック図である。同図に示すように、この無線部実装ネットワーク間接続装置１１１は、無線送受信部７１０と、装置選択制御部７２０と、命令実行制御部７３０と、通信制御部７４０と、実行結果制御部７５０と、アクセス可能装置リスト７６０とを有する。
【００４９】
無線送受信部７１０は、中継装置１０１が転送する命令のうち、自装置宛の周波数を用いて転送された命令のみを受信する処理部である。また、この無線送受信部７１０は、実行結果制御部７５０から命令の実行結果を受け取り、この実行結果を自装置に固有な周波数の無線で中継装置１０１へ送信する。
【００５０】
装置選択制御部７２０は、アクセス可能装置リスト７６０を参照し、転送された命令が自装置宛の命令か他の既存ネットワーク間接続装置宛の命令かを判定する処理部である。命令実行制御部７３０は、転送された命令が自装置宛の命令である場合には、この命令を実行し、転送された命令が他の既存ネットワーク間接続装置宛の命令である場合には、その既存ネットワーク間接続装置への命令の転送を通信制御部７４０に依頼する処理部である。
【００５１】
通信制御部７４０は、他の既存ネットワーク間接続装置へＬＡＮ経由で命令を送信し、また、この命令の実行結果をＬＡＮ経由で受信する処理部である。実行結果制御部７５０は、命令の実行結果を命令実行制御部７３０または通信制御部７４０から受け取り、無線送受信部７１０に引き渡す処理部である。
【００５２】
アクセス可能装置リスト７６０は、この無線部実装ネットワーク間接続装置１１１がＬＡＮを経由してアクセスできるネットワーク間接続装置に関する情報を格納したリストである。図８は、無線部実装ネットワーク間接続装置１１１が有するアクセス可能装置リスト７６０の一例を示す図である。
【００５３】
同図に示すように、このアクセス可能装置リスト７６０は、アクセス可能なネットワーク間接続装置の名前を示す装置名、アクセス可能なネットワーク間接続装置のＩＰアドレスを示すアドレス、アクセス可能なネットワーク間接続装置のポート番号を示すポート、このネットワーク間接続装置にアクセスする時に経由する装置の個数を示すホップ数をネットワーク間接続装置ごとに管理した情報である。
【００５４】
たとえば、装置名Ａのネットワーク間接続装置は、ＩＰアドレスが１０．１７．２０１．１であり、ポート番号はＥ０であり、経由する装置の個数が１であることを示している。同様に、装置名Ｂのネットワーク間接続装置は、ＩＰアドレスが１０．１７．２０２．１であり、ポート番号はＥ０であり、経由する装置の個数が１であることを示している。
【００５５】
装置名Ｃのネットワーク間接続装置は、自分であることを示している。また、装置名Ｄのネットワーク間接続装置は、ＩＰアドレスが１０．１７．２０４．１であり、ポート番号はＥ０であり、経由する装置の個数が１であることを示している。
【００５６】
次に、無線部実装ネットワーク間接続装置１１１の動作について説明する。図９は、図７に示した無線部実装ネットワーク間接続装置１１１の動作を説明するフローチャートである。同図に示すように、この無線部実装ネットワーク間接続装置１１１は、無線送受信部７１０が自装置宛の周波数の命令を受信し（ステップＳ９０１）、この命令を装置選択制御部７２０に引き渡す。命令を受け取った装置判定制御部７２０は、アクセス可能装置リスト７６０を参照して命令の宛先が自装置であるか他の既存ネットワーク間接続装置であるかを判定する（ステップＳ９０２）。
【００５７】
もし、命令の宛先が自装置である場合には、命令実行制御部７３０が命令を実行し（ステップＳ９０３）、その実行結果を実行結果制御部７４０に引き渡す。一方、命令の宛先が他の既存ネットワーク間接続装置である場合には、通信制御部７４０がＬＡＮ経由で命令を他の既存ネットワーク間接続装置へ送信する（ステップＳ９０４）。
【００５８】
そして、通信制御部７４０が他の既存ネットワーク間接続装置から送られてくる命令の実行結果をＬＡＮ経由で受信し（ステップＳ９０５）、実行結果制御部７５０に引き渡す。さらに、実行結果制御部７５０がこの実行結果を無線送受信部７４０に引き渡し、無線送受信部７４０がこの実行結果を中継装置１０１へ送信する（ステップＳ９０６）。
【００５９】
次に、ＬＡＮの一部に障害が発生した場合の遠隔ネットワーク保守システムの動作について説明する。図１０は、ＬＡＮの一部に障害が発生した状況を説明するための説明図である。同図に示すように、無線部実装ネットワーク間接続装置１１３に接続するＬＡＮの一部に障害が発生し、この無線部実装ネットワーク間接続装置１１３は既存ネットワーク間接続装置１２１と通信できなくなっている。
【００６０】
図１１は、図１０に示した障害が発生した場合の遠隔監視システムの動作を説明するフローチャートである。同図に示すように、中継装置１０１は、既存ネットワーク間接続装置１２１宛の命令を無線で無線部実装ネットワーク間接続装置１１３へ転送する（ステップＳ１１０１）。ここで、無線部実装ネットワーク間接続装置１１３は、ＬＡＮの障害のために既存ネットワーク間接続装置１２１にアクセスできないことを中継装置１０１に通知する（ステップＳ１１０２）。
【００６１】
そこで、中継装置１０１は、他の無線部実装ネットワーク間接続装置１１１および１１２と中継装置１０２に対し、既存ネットワーク間接続装置１２１に到達可能かを問い合わせる（ステップＳ１１０３）。この問い合わせに対し、無線部実装ネットワーク間接続装置１１１および無線部実装ネットワーク間接続装置１１２が応答する（ステップＳ１１０４）。
【００６２】
すると、中継装置１０１は、無線部実装ネットワーク間接続装置１１１または無線部実装ネットワーク間接続装置１１２のうち、応答の早い無線部実装ネットワーク間接続装置（ここでは無線部実装ネットワーク間接続装置１１１とする）へ命令を転送する（ステップＳ１１０５）。
【００６３】
そして、無線部実装ネットワーク間接続装置１１１は、既存ネットワーク間接続装置１２１へこの命令を転送し（ステップＳ１１０６）、既存ネットワーク間接続装置１２１がこの命令を実行し（ステップＳ１１０７）、無線部実装ネットワーク間接続装置１１１へこの命令の実行結果を送信する。
【００６４】
実行結果を受信した無線部実装ネットワーク間接続装置１１１は、この実行結果を中継装置１０１に転送する（ステップＳ１１０８）。最後に、中継装置１０１は、受信した実行結果を監視装置１００に転送する（ステップＳ１１０９）。
【００６５】
この例では、中継装置１０１の管理する無線部実装ネットワーク間接続装置１１１および１１２をデータの転送先の候補としたが、他の中継装置１０２などの管理するネットワーク間接続装置であっても、既存ネットワーク間接続装置１２１に到達可能であり、無線部を実装していれば、同様にデータの転送先の候補となる。ただし、中継装置１０２などを経由するごとに候補となる無線部実装ネットワーク間接続装置のホップ数が１増加し、中継装置１０１は、一定のホップ数以下の無線部ネットワーク間接続装置のうち、最も早く応答した無線部実装ネットワーク間接続装置をデータの転送先とする。
【００６６】
上述してきたように、本実施の形態１によれば、監視装置１００と無線部実装ネットワーク間接続装置１１１〜１１４の間に中継装置１０１および１０２を設置し、監視装置１００と中継装置１０１を電話回線で接続し、中継装置１０１と無線部実装ネットワーク間接続装置１１１〜１１３および中継装置１０２を無線で接続し、中継装置１０２と無線部実装ネットワーク間接続装置１１４を無線で接続し、監視装置１００は、中継装置１０１および１０２を介して無線部実装ネットワーク間接続装置１１１〜１１４および既存ネットワーク間接続装置１２１および１２２を遠隔地から保守することとしたので、ネットワーク間接続装置１１１〜１１４、１２１および１２２の遠隔保守にかかる通信コストを低減することができるとともに、監視装置１００の設置場所を自由に選ぶことができる。
【００６７】
また、本実施の形態１によれば、中継装置１０１と無線部実装ネットワーク間接続装置１１１〜１１３を無線で接続することとしたので、同時刻に複数の無線部実装ネットワーク間接続装置１１１〜１１３に命令を送信して実行し、同時刻の無線部実装ネットワーク間接続装置１１１〜１１３の情報を取得することができ、もって信頼性の高い保守をおこなうことができる。
【００６８】
また、本実施の形態１によれば、中継装置１０１と無線部実装ネットワーク間接続装置１１１〜１１３および中継装置１０２を無線で接続し、中継装置１０２と無線部実装ネットワーク間接続装置１１４を無線で接続し、保守対象ネットワークとは独立な保守用ネットワークを用いて通信することとしたので、保守対象ネットワークに障害が発生した場合でも、監視装置１００は、無線を使用して無線部実装ネットワーク間接続装置１１１〜１１４にアクセスすることができ、もって障害に強い遠隔監視システムを構築することができる。
【００６９】
また、本実施の形態１によれば、無線部を実装していない既存のネットワーク間接続装置１２１は、ＬＡＮで接続された無線部実装ネットワーク間接続装置１１３を経由して中継装置１０１と通信することとし、無線部を実装していない既存のネットワーク間接続装置１２２は、ＬＡＮで接続された無線部実装ネットワーク間接続装置１１４と中継装置１０２を経由して中継装置１０１と通信することとしたので、無線部を実装していない既存ネットワーク間接続装置１２１および１２２も遠隔地から保守することができる。
【００７０】
また、本実施の形態１によれば、無線部を実装していない既存のネットワーク間接続装置１２１は、ＬＡＮの一部に障害が発生して無線部実装ネットワーク間接続装置１１３にアクセスできない場合でも、無線部実装ネットワーク間接続装置１１１または無線部実装ネットワーク間接続装置１１２のいずれかにアクセスできれば中継装置１０１と通信できることとしたので、既存ネットワーク間接続装置１２１に対しても障害に強い遠隔監視システムを構築することができる。
【００７１】
また、本実施の形態１によれば、中継装置１０１は、中継装置１０２を経由して無線部実装ネットワーク間接続装置１１４および既存ネットワーク間接続装置１２２と通信することとしたので、広い範囲のコンピュータネットワークを遠隔地から保守することができる。
【００７２】
（実施の形態２）
ところで、上記実施の形態１では、中継装置１０１と無線部実装ネットワーク間接続装置１１１〜１１３および中継装置１０２との通信は、異なる周波数の無線を使用することとした。しかしながら、無線部実装ネットワーク間接続装置および中継装置の数が増えた場合には、必要となる周波数の数が増加するので、異なる周波数を使用することが困難となる。そこで、本実施の形態２では、制御パケットを用いた単一周波数による無線通信について説明する。
【００７３】
まず、本実施の形態２に係る中継装置の機能構成について説明する。図１２は、本実施の形態２に係る中継装置の機能構成を示すブロック図である。なお、ここでは説明の便宜上、図４に示した各部と同様の役割を果たす機能部については同一符号を付すこととしてその詳細な説明を省略する。
【００７４】
図１２に示すように、この中継装置１２０１は、送受信部４１０と、判断部１２２０と、無線制御部１２３０と、ネットワーク間接続装置識別テーブル１２４０とを有する。判断部１２２０は、中継装置１２０１へのアクセスが正しいか否かを判断する処理部である。ただし、図４に示した判断部４２０とは異なり、命令の転送先および使用する周波数の特定はおこなわない。その理由は、この中継装置１２０１が単一周波数の無線を用いるためである。
【００７５】
無線制御部１２３０は、無線部実装ネットワーク間接続装置および他の中継装置と所定の周波数の無線で通信するとともに、制御パケットを管理する処理部であり、ネットワーク間接続装置識別テーブル１２４０を用いて無線部実装ネットワーク間接続装置および他の中継装置を一意に識別できる値、ここではＭＡＣ（Ｍｅｄｉａ　Ａｃｃｅｓｓ　Ｃｏｎｔｒｏｌ）アドレス、を有する制御パケットを全ての無線部実装ネットワーク間接続装置および中継装置へ送信する。
【００７６】
ネットワーク間接続装置識別テーブル１２４０は、保守の対象となる各ネットワーク間接続装置を一意に識別するための情報を格納したテーブルである。図１３は、中継装置１２０１が有するネットワーク間接続装置識別テーブル１２４０の一例を示す図である。同図に示すように、このネットワーク間接続装置識別テーブル１２４０は、ネットワーク間接続装置の名前を示す装置名と各装置を一意に識別できる値を示すＭＡＣアドレスとをネットワーク間接続装置ごとに管理した情報である。
【００７７】
たとえば、装置名Ａのネットワーク間接続装置は、この装置を一意に識別するＭＡＣアドレスとして００：００：００：００：０１：０１を有し、装置名Ｂのネットワーク間接続装置は、この装置を一意に識別するＭＡＣアドレスとして００：００：００：００：０５：０１を有し、装置名Ｃのネットワーク間接続装置は、この装置を一意に識別するＭＡＣアドレスとして００：００：００：００：０４：０９を有することを示している。同様に、装置名Ｄのネットワーク間接続装置は、この装置を一意に識別するＭＡＣアドレスとして００：００：００：００：０１：０６を有し、装置名Ｅのネットワーク間接続装置は、この装置を一意に識別するＭＡＣアドレスとして００：００：００：００：０２：０５を有し、装置名Ｆのネットワーク間接続装置は、この装置を一意に識別するＭＡＣアドレスとして００：００：００：００：０２：０４を有することを示している。
【００７８】
次に、本実施の形態２に係る無線部実装ネットワーク間接続装置の機能構成について説明する。図１４は、本実施の形態２に係る無線部実装ネットワーク間接続装置１４１１の機能構成を示すブロック図である。なお、ここでは説明の便宜上、図７に示した各部と同様の役割を果たす機能部については同一符号を付すこととしてその詳細な説明を省略する。
【００７９】
図１４に示すように、この無線部実装ネットワーク間接続装置１４１１は、無線送受信部１４１０と、装置選択制御部１４２０と、命令実行制御部７３０と、通信制御部７４０と、実行結果制御部７５０と、アクセス可能装置リスト１４３０とを有する。
【００８０】
無線送受信部１４１０は、中継装置１２０１と無線で通信する処理部であり、中継装置１２０１が送信する制御パケットを受信して装置選択制御部１４２０に引き渡す。
【００８１】
装置選択制御部１４２０は、制御パケットのＭＡＣアドレスに基づき、制御パケットが自装置あるいはＬＡＮ経由でアクセスする既存ネットワーク間接続装置宛であるかを判定する処理部である。この装置選択制御部１４２０がＭＡＣアドレスを用いて制御パケットの宛先を判定する機能を備えることにより、単一周波数で中継装置１２０１と複数の無線部実装ネットワーク間接続装置が通信することができる。
【００８２】
アクセス可能装置リスト１４３０は、無線部実装ネットワーク間接続装置１４１１がＬＡＮを経由してアクセスできるネットワーク間接続装置に関する情報を格納したリストである。ただし、このアクセス可能装置リスト１４３０は、アクセス可能装置リスト７６０と異なり、無線部実装ネットワーク間接続装置１４１１が命令の転送を担当するネットワーク間接続装置のみに関する情報を格納している。これは、中継装置１２０１からの転送を複数の無線部実装ネットワーク間接続装置が処理するのを防ぐためである。
【００８３】
次に、本実施の形態２に係る中継装置１２０１と無線部実装ネットワーク間接続装置１４１１の通信について説明する。図１５は、本実施の形態２に係る中継装置１２０１と無線部実装ネットワーク間接続装置１４１１の通信を説明するフローチャートである。
【００８４】
同図に示すように、中継装置１２０１の送受信部４１０は、監視装置１００から電話回線で命令を受信し、判断部１２２０経由で受信した命令を無線制御部１２３０に引き渡す。そして、命令を受け取った無線制御部１２３０は、その命令を所定の周波数で全ての無線部実装ネットワーク間接続装置および中継装置へ送信する（ステップＳ１５０１）。
【００８５】
また、無線部実装ネットワーク間接続装置は、中継装置１２０１が送信した命令を受信し（ステップＳ１５０２）、受信した命令が自装置宛であるか否かを調べ（ステップＳ１５０３）、自装置宛でない場合には、何もしないで処理を終了する。一方、受信した命令が自装置宛である場合には、その命令を実行し（ステップＳ１５０４）、制御パケットが中継装置１２０１から送信されるのを待つ。
【００８６】
その後、中継装置１２０１は、ネットワーク識別テーブル１２４０を用いて送信先のネットワーク間接続装置のＭＡＣアドレスを取得し（ステップＳ１５０５）、このＭＡＣアドレスを有する制御パケットを所定の周波数で全ての無線部実装ネットワーク間接続装置および中継装置へ送信する（ステップＳ１５０６）。
【００８７】
そして、無線部実装ネットワーク間接続装置１４１１の無線送受信部１４１０は、制御パケットを受信すると（ステップＳ１５０７）、制御パケットを装置選択制御部１４２０に引き渡す。そして、制御パケットを受け取った装置選択制御部１４２０は、制御パケットに含まれるＭＡＣアドレスを調べ、制御パケットの宛先が自装置または自装置を経由して命令を受信する既存ネットワーク間接続装置であるかを調べる（ステップＳ１５０８）。
【００８８】
もし、制御パケットの宛先が自装置または自装置を経由して命令を受信する既存ネットワーク間接続装置である場合には、命令の実行結果を中継装置１２０１へ送信し（ステップＳ１５０９）、制御パケットを中継装置１２０１に返す（ステップＳ１５１１）。一方、制御パケットの宛先が自装置または自装置を経由して命令を受信する既存ネットワーク間接続装置でない場合には、中継装置１２０１に応答しない。
【００８９】
また、中継装置１２０１は、無線部実装ネットワーク間接続装置から命令の実行結果を受信し（ステップＳ１５１０）、さらに、制御パケットを受信したならば（ステップＳ１５１２）、他の無線部実装ネットワーク間接続装置に制御パケットの送信が必要であるか否かを判定する（ステップＳ１５１３）。
【００９０】
そして、他の無線部実装ネットワーク間接続装置に制御パケットの送信が必要である場合には、次の無線部実装ネットワーク間接続装置について上述の処理を繰り返し、一方、他の無線部実装ネットワーク間接続装置に制御パケットの送信が必要でない場合には、処理を終了する。
【００９１】
上述してきたように、本実施の形態２では、中継装置は、無線部実装ネットワーク間接続装置とＭＡＣアドレスを有する制御パケットを用いて通信することとしたので、単一周波数の無線で複数の無線部実装ネットワーク間接続装置と通信することができる。
【００９２】
（実施の形態３）
ところで、上記の実施の形態１および２では、保守対象ネットワークとは独立な保守用ネットワークを用いて遠隔保守をおこなうこととしたが、この保守用ネットワークを保守対象ネットワークの障害発生時に代替えネットワークとして使用することができる。そこで、本実施の形態３では、保守用ネットワークを代替えネットワークとして使用するための中継装置と無線部実装ネットワーク間接続装置について説明する。
【００９３】
まず、本実施の形態３に係る中継装置の機能について説明する。図１６は、本実施の形態３に係る中継装置の機能構成を示すブロック図である。なお、ここでは説明の便宜上、図４に示した各部と同様の役割を果たす機能部については同一符号を付すこととしてその詳細な説明を省略する。
【００９４】
図１６に示すように、この中継装置１６０１は、送受信部４１０と、判断部４２０と、ネットワーク間接続装置リスト４４０と、無線制御部１６３０と、無線データ中継部１６５０とを有する。無線制御部１６３０は、無線部実装ネットワーク間接続装置と無線で通信する処理部である。この無線制御部１６３０は、無線部実装ネットワーク間接続装置から受信したデータを送受信部４１０に引き渡すだけでなく、他の無線部実装ネットワーク間接続装置へ転送するデータを無線データ中継部１６５０に引き渡す。
【００９５】
無線データ中継部１６５０は、無線制御部１６３０と連携して無線部実装ネットワーク間接続装置から他の無線部実装ネットワーク間接続装置へ送るデータを中継する処理部である。この無線データ中継部１６５０は、無線制御部１６３０からデータを受け取り、このデータの宛先からネットワーク間接続装置リスト４４０を参照して転送先の無線部実装ネットワーク間接続装置の使用周波数を取得し、無線制御部１６３０へ取得した周波数でのデータの送信を依頼する。
【００９６】
次に、本実施の形態３に係る無線部実装ネットワーク間接続装置の機能構成について説明する。図１７は、本実施の形態３に係る無線部実装ネットワーク間接続装置１７１１の機能構成を示すブロック図である。なお、ここでは説明の便宜上、図７に示した各部と同様の役割を果たす機能部については同一符号を付すこととしてその詳細な説明を省略する。
【００９７】
図１７に示すように、この無線部実装ネットワーク間接続装置１７１１は、装置選択制御部７２０と、命令実行制御部７３０と、実行結果制御部７５０と、アクセス可能装置リスト７６０と、無線送受信部１７１０と、通信制御部１７４０と、障害検知部１７５０と、通信切替部１７６０と、データ送信部１７７０と、データ受信部１７８０とを有する。
【００９８】
無線送受信部１７１０は、自装置に固有の周波数の無線を用いて中継装置１６０１と通信する処理部である。この無線送受信部１７１０は、中継装置１６０１を介して任意の無線部実装ネットワーク間接続装置と通信することができる。
【００９９】
通信制御部１７４０は、ＬＡＮを使って他のネットワーク間接続装置と通信する処理部である。ただし、ＬＡＮに障害が発生した場合には、無線を使って他の無線部実装ネットワーク間接続装置と通信する。障害検知部１７５０は、ＬＡＮに発生する障害を検知する処理部である。また、通信切替部１７６０は、障害検知部１７５０がＬＡＮに発生した障害を検知すると、通信媒体をＬＡＮから無線に切替える処理部である。
【０１００】
データ送信部１７７０は、ＬＡＮに障害が発生している場合に、通信制御部１７４０から送信データを受け取り、無線送受信部１７１０に送信を依頼する処理部である。また、データ受信部１７８０は、ＬＡＮに障害が発生している場合に、無線送受信部１７１０が受信したデータを通信制御部１７４０に引き渡す処理部である。
【０１０１】
次に、本実施の形態３に係る中継装置１６０１と無線部実装ネットワーク間接続装置１７１１の通信について説明する。図１８は、本実施の形態３に係る中継装置１６０１と無線部実装ネットワーク間接続装置１７１１の通信を説明するフローチャートである。なお、ここでは、障害検知部１７５０によってＬＡＮの障害が検知され、通信切替部１７６０によってＬＡＮから無線への通信切替え処理がおこなわれた後の通信について説明する。
【０１０２】
同図に示すように、無線部実装ネットワーク間接続装置１７１１に他の無線部実装ネットワーク間接続装置への送信要求が発生し（ステップＳ１８０１）、通信制御部１７４０は、ＬＡＮを利用することができないので、送信データをデータ送信部１７７０に引き渡す（ステップＳ１８０２）。データを受け取ったデータ送信部１７７０は、このデータを中継装置１６０１経由で送信するように無線送受信部１７１０に依頼し、無線送受信部１７１０は、このデータを中継装置１６０１へ送信する（ステップＳ１８０３）。
【０１０３】
中継装置１６０１の無線制御部１６３０は、無線データを受信し（ステップＳ１８０４）、このデータを無線データ中継部１６５０に引き渡す。データを受け取った無線データ中継部１６５０は、データの宛先である無線部実装ネットワーク間接続装置の使用周波数を取得し（ステップＳ１８０５）、取得した周波数でのデータの送信を無線制御部１６３０に依頼する。そして、無線制御部１６３０がこのデータを宛先の無線部実装ネットワーク間接続装置へ送信する（ステップＳ１８０６）。
【０１０４】
データの宛先である無線部実装ネットワーク間接続装置の無線送受信部１７１０は、このデータを受信し（ステップＳ１８０７）、データ受信部１７８０経由で通信制御部１７４０に引き渡す（ステップＳ１８０８）。
【０１０５】
上述したように、本実施の形態３によれば、保守対象ネットワークに障害が発生した場合に、中継装置と無線部実装ネットワーク間接続装置を用いて代替え通信をおこなうこととしたので、遠隔保守を可能とするだけではなく、障害に強いネットワークシステムを構築することができる。
【０１０６】
（付記１）あるネットワークと他のネットワークとを接続するネットワーク間接続装置と、複数のネットワーク間接続装置を監視して遠隔保守する監視装置とを有する遠隔監視システムに用いる遠隔保守中継装置であって、
前記監視装置から送信された命令を受信する受信手段と、
前記受信手段により受信された命令を転送するネットワーク間接続装置または他の遠隔保守中継装置からなる転送先装置を選択する転送先選択手段と、
前記転送先選択手段により選択された転送先装置へ前記命令を該転送先装置に固有な周波数の無線で送信する固有周波数無線命令送信手段と、
前記転送先装置から該転送先装置に固有な周波数の無線で送信された前記命令の実行結果を受信する固有周波数無線結果受信手段と、
前記固有周波数無線結果受信手段により受信された実行結果を前記監視装置に送信する送信手段と、
を備えたことを特徴とする遠隔保守中継装置。
【０１０７】
（付記２）あるネットワークと他のネットワークとを接続するネットワーク間接続装置と、複数のネットワーク間接続装置を監視して遠隔保守する監視装置とを有する遠隔監視システムに用いる遠隔保守中継装置であって、
前記監視装置から送信された命令を受信する受信手段と、
前記受信手段により受信された命令を転送するネットワーク間接続装置または他の遠隔保守中継装置からなる転送先装置を一意に識別する識別情報を取得する取得手段と、
前記取得手段により取得された識別情報を含む制御パケットを生成する制御パケット生成手段と、
前記制御パケット生成手段により生成された制御パケットおよび前記受信手段により受信された命令を所定の周波数の無線で送信する所定周波数無線命令送信手段と、
前記所定周波数無線命令送信手段により送信された前記制御パケットおよび前記命令に応答して前記所定の周波数の無線で送信された該命令の実行結果を受信する所定周波数無線結果受信手段と、
前記所定周波数無線結果受信手段により受信された実行結果を前記監視装置に送信する送信手段と、
を備えたことを特徴とする遠隔保守中継装置。
【０１０８】
（付記３）ネットワーク間接続装置が接続されたネットワークに障害が発生した場合に、あるネットワーク間接続装置から無線で送信されたデータを受信して他のネットワーク間接続装置へ送信する代替え無線データ中継手段をさらに備えたことを特徴とする付記１または２に記載の遠隔保守中継装置。
【０１０９】
（付記４）あるネットワークと他のネットワークとを接続するネットワーク間接続装置であって、
遠隔保守中継装置から前記ネットワーク間接続装置に固有な周波数の無線で送信された命令を受信する固有周波数無線命令受信手段と、
前記固有周波数無線命令受信手段により受信された命令を実行して実行結果を生成する命令実行手段と、
前記命令実行手段により生成された実行結果を前記遠隔保守中継装置へ前記ネットワーク間接続装置に固有な周波数の無線で送信する固有周波数無線結果送信手段と、
を備えたことを特徴とするネットワーク間接続装置。
【０１１０】
（付記５）あるネットワークと他のネットワークとを接続するネットワーク間接続装置であって、
遠隔保守中継装置から前記所定の周波数の無線で送信された制御パケットおよび命令を受信する所定周波数無線命令受信手段と、
前記所定周波数無線命令受信手段により受信された制御パケットに含まれる前記識別情報に基づいて前記遠隔保守中継装置への応答可否を判定する応答判定手段と、
前記応答判定手段により判定された応答可否に基づいて前記遠隔保守中継装置へ応答する応答手段と、
前記所定周波数無線命令受信手段により受信された命令を実行して実行結果を生成する命令実行手段と、
前記命令実行手段により生成された実行結果を前記遠隔保守中継装置へ前記所定の周波数の無線で送信する所定周波数無線結果送信手段と、
を備えたことを特徴とするネットワーク間接続装置。
【０１１１】
（付記６）同じネットワークに接続された無線通信機能を有しない既存ネットワーク間接続装置へ該ネットワークを介して前記命令を送信し、該命令の実行結果を該ネットワークを介して受信する通信手段をさらに備えたことを特徴とする付記４または５に記載のネットワーク間接続装置。
【０１１２】
（付記７）ネットワーク間接続装置が接続されたネットワークの障害を検知する障害検知手段と、前記障害検知手段の障害検知に基づいて通信媒体を前記ネットワークから無線に切替える切替え手段と、前記遠隔保守中継装置から無線で送信されたデータを受信する代替え無線データ受信手段と、前記遠隔保守中継装置へ無線でデータを送信する代替え無線データ送信手段とをさらに備えたことを特徴とする付記６に記載のネットワーク間接続装置。
【０１１３】
（付記８）あるネットワークと他のネットワークとを接続するネットワーク間接続装置と、複数のネットワーク間接続装置を監視して遠隔保守する監視装置とを有する遠隔監視システムに用いる遠隔保守中継方法であって、
前記監視装置から送信された命令を受信する受信工程と、
前記受信工程により受信された命令を転送するネットワーク間接続装置または遠隔保守中継装置からなる転送先装置を選択する転送先選択工程と、
前記転送先選択工程により選択された転送先装置へ前記命令を該転送先装置に固有な周波数の無線で送信する固有周波数無線命令送信工程と、
前記転送先装置から該転送先装置に固有な周波数の無線で送信された前記命令の実行結果を受信する固有周波数無線結果受信工程と、
前記固有周波数無線結果受信工程により受信された実行結果を前記監視装置に送信する送信工程と、
を含んだことを特徴とする遠隔保守中継方法。
【０１１４】
（付記９）あるネットワークと他のネットワークとを接続するネットワーク間接続装置の保守方法であって、
遠隔保守中継装置から前記ネットワーク間接続装置に固有な周波数の無線で送信された命令を受信する固有周波数無線命令受信工程と、
前記固有周波数無線命令受信工程により受信された命令を実行して実行結果を生成する命令実行工程と、
前記命令実行工程により生成された実行結果を前記遠隔保守中継装置へ前記ネットワーク間接続装置に固有な周波数の無線で送信する固有周波数無線結果送信工程と、
を含んだことを特徴とするネットワーク間接続装置の保守方法。
【０１１５】
【発明の効果】
以上説明したように、本発明によれば、監視装置から送信された命令を受信し、受信した命令を転送するネットワーク間接続装置または他の遠隔保守中継装置からなる転送先装置を選択し、選択された転送先装置へ命令をこの転送先装置に固有な周波数の無線で送信し、この転送先装置からこの転送先装置に固有な周波数の無線で送信された命令の実行結果を受信し、受信した実行結果を監視装置に送信するよう構成したので、ネットワーク間接続装置の遠隔保守にかかる通信コストを低減するとともに、信頼性が高く障害に強い遠隔監視システムの構築を可能とする遠隔保守中継装置が得られるという効果を奏する。
【０１１６】
また、本発明によれば、監視装置から送信された命令を受信し、受信した命令を転送するネットワーク間接続装置または他の遠隔保守中継装置からなる転送先装置を一意に識別する識別情報を取得し、取得した識別情報を含む制御パケットを生成し、生成した制御パケットおよび命令を所定の周波数の無線で送信し、この制御パケットに応答して所定の周波数の無線で転送先装置から送信された命令の実行結果を受信し、受信した実行結果を監視装置に送信するよう構成したので、ネットワーク間接続装置の遠隔保守にかかる通信コストを低減するとともに、信頼性が高く障害に強い遠隔監視システムを単一周波数の無線を用いて構築することを可能とする遠隔保守中継装置が得られるという効果を奏する。
【０１１７】
また、本発明によれば、遠隔保守中継装置からネットワーク間接続装置に固有な周波数の無線で送信された命令を受信し、受信した命令を実行して実行結果を生成し、生成した実行結果を遠隔保守中継装置へネットワーク間接続装置に固有な周波数の無線で送信するよう構成したので、ネットワーク間接続装置の遠隔保守にかかる通信コストを低減するとともに、信頼性が高く障害に強い遠隔監視システムの構築を可能とするネットワーク間接続装置が得られるという効果を奏する。
【０１１８】
また、本発明によれば、遠隔保守中継装置から所定の周波数の無線で送信された制御パケットおよび命令を受信し、受信した制御パケットに含まれる識別情報に基づいて遠隔保守装置への応答可否を判定し、判定した応答可否に基づいて遠隔保守中継装置へ応答し、受信した命令を実行して実行結果を生成し、生成した実行結果を遠隔保守中継装置へ所定の周波数の無線で送信するよう構成したので、ネットワーク間接続装置の遠隔保守にかかる通信コストを低減するとともに、信頼性が高く障害に強い遠隔監視システムを単一周波数の無線を用いて構築することを可能とするネットワーク間接続装置が得られるという効果を奏する。
【図面の簡単な説明】
【図１】本実施の形態１に係る遠隔監視システムのシステム構成を示すブロック図である。
【図２】図１に示した遠隔監視システムの動作を説明するフローチャートである。
【図３】図１に示した監視装置の機能構成を示すブロック図である。
【図４】図１に示した中継装置の機能構成を示すブロック図である。
【図５】中継装置が有するネットワーク間接続装置リストの一例を示す図である。
【図６】図４に示した中継装置の動作を説明するフローチャートである。
【図７】図１に示した無線部実装ネットワーク間接続装置の機能構成を示すブロック図である。
【図８】無線部実装ネットワーク間接続装置が有するアクセス可能装置リストの一例を示す図である。
【図９】図７に示した無線部実装ネットワーク間接続装置の動作を説明するフローチャートである。
【図１０】ＬＡＮの一部に障害が発生した状況を説明するための説明図である。
【図１１】図１０に示した障害が発生した場合の遠隔監視システムの動作を説明するフローチャートである。
【図１２】本実施の形態２に係る中継装置の機能構成を示すブロック図である。
【図１３】中継装置が有するネットワーク間接続装置識別テーブルの一例を示す図である。
【図１４】本実施の形態２に係る無線部実装ネットワーク間接続装置の機能構成を示すブロック図である。
【図１５】本実施の形態２に係る中継装置と無線部実装ネットワーク間接続装置の通信を説明するフローチャートである。
【図１６】本実施の形態３に係る中継装置の機能構成を示すブロック図である。
【図１７】本実施の形態３に係る無線部実装ネットワーク間接続装置の機能構成を示すブロック図である。
【図１８】本実施の形態３に係る中継装置と無線部実装ネットワーク間接続装置の通信を説明するフローチャートである。
【符号の説明】
１００　監視装置
１０１，１０２，１２０１，１６０１　中継装置
１１１〜１１４，１４１１，１７１１　無線部実装ネットワーク間接続装置
１２１，１２２　既存ネットワーク間接続装置
３１０　監視制御部
３２０　通信制御部
３３０　表示装置
４１０　送受信部
４２０，１２２０　判断部
４３０，１２３０，１６３０　無線制御部
４４０　ネットワーク間接続装置リスト
７１０，１４１０，１７１０　無線送受信部
７２０，１４２０　装置選択制御部
７３０　命令実行制御部
７４０，１７４０　通信制御部
７５０　実行結果制御部
７６０，１４３０　アクセス可能装置リスト
１２４０　ネットワーク間接続装置識別テーブル
１６５０　無線データ中継部
１７５０　障害検知部
１７６０　通信切替部
１７７０　データ送信部
１７８０　データ受信部
【図１】
2004120395.tif 000003
【図２】
2004120395.tif 000004
【図３】
2004120395.tif 000005
【図４】
2004120395.tif 000006
【図５】
2004120395.tif 000007
【図６】
2004120395.tif 000008
【図７】
2004120395.tif 000009
【図８】
2004120395.tif 000010
【図９】
2004120395.tif 000011
【図１０】
2004120395.tif 000012
【図１１】
2004120395.tif 000013
【図１２】
2004120395.tif 000014
【図１３】
2004120395.tif 000015
【図１４】
2004120395.tif 000016
【図１５】
2004120395.tif 000017
【図１６】
2004120395.tif 000018
【図１７】
2004120395.tif 000019
【図１８】
2004120395.tif 000020